(57)【特許請求の範囲】
【請求項１】
楽曲解析情報に応じて照明機器の制御を行う照明制御装置であって、
前記照明機器の発光応答時間を含む照明機器情報を蓄積する照明機器情報蓄積部と、
制御対象となる照明機器を選択する照明機器選択部と、
前記照明機器選択部により選択された照明機器の発光応答時間を用いて、前記選択された照明機器の発光タイミングの調整を行う発光タイミング調整部と、を備えていることを特徴とする照明制御装置。
【請求項２】
請求項１に記載の照明制御装置において、
前記発光タイミング調整部は、楽曲の拍位置情報を含む前記楽曲解析情報を取得し、取得した拍位置情報に、前記選択された照明機器の発光タイミングを同期させることを特徴とする照明制御装置。
【請求項３】
請求項１または請求項２に記載の照明制御装置において、
前記照明機器情報蓄積部は、前記照明機器のインターフェースに応じて、前記発光応答時間を蓄積することを特徴とする照明制御装置。
【請求項４】
請求項１から請求項３のいずれか一項に記載の照明制御装置において、
前記照明機器情報蓄積部は、前記照明機器を構成する灯体の光源の種類に応じて、前記発光応答時間を蓄積することを特徴とする照明制御装置。
【発明の詳細な説明】
【技術分野】
【０００１】
本発明は、楽曲の再生に応じて照明機器の制御を行う照明制御装置に関する。
【背景技術】
【０００２】
コンサートやクラブシーンにおいて、音楽に対応した照明または楽曲に同期して照明を変化させることは、演出効果上重要である。
このため、従来、楽曲に対応した照明操作の自動化が提案されている。たとえば、特許文献１、特許文献２に記載の技術は、楽曲に対応した照明内容に関する照明制御データを予め作成しておき、楽曲の演奏時に楽曲と同期して、照明制御データに基づき、照明機器を制御することにより、楽曲に対応した所望の照明演出効果を実現している。
【先行技術文献】
【特許文献】
【０００３】
【特許文献１】特許第３７４０７９号公報
【特許文献２】特開２０１０−１９２１５５号公報
【発明の概要】
【発明が解決しようとする課題】
【０００４】
しかしながら、前記特許文献１、特許文献２に記載の技術において、楽曲の拍位置のタイミングで照明機器を発光させる制御信号を出力したとしても、制御信号を出力した後、実際に発光するまでに、遅延が生じることがあるため、拍位置と発光タイミングにズレが生じるという課題がある。
また、一律に発光タイミングの位置をずらしたとしても、照明機器の灯体ごとの発光タイミングにばらつきがあるため、全体を同期させることができないという課題がある。【０００５】
本発明の目的は、照明機器ごとに発光タイミングを調整することのできる照明制御装置を提供することにある。
【課題を解決するための手段】
【０００６】
本発明の照明制御装置は、
楽曲解析情報に応じて照明機器の制御を行う照明制御装置であって、
前記照明機器の発光応答時間を含む照明機器情報を蓄積する照明機器情報蓄積部と、
制御対象となる照明機器を選択する照明機器選択部と、
前記照明機器選択部により選択された照明機器の発光応答時間を用いて、前記選択された照明機器の発光タイミングの同期調整を行う発光タイミング調整部と、を備えていることを特徴とする。
【図面の簡単な説明】
【０００７】
【図１】本発明の実施形態に係る音響照明制御システムの構造を示す模式図。
【図２】前記実施形態における音響照明制御システムの構造を示す機能ブロック図。
【図３】前記実施形態における照明機器情報蓄積部のテーブル構造を示す模式図。
【図４】前記実施形態における照明機器選択部の画面表示例を示す模式図。
【発明を実施するための形態】
【０００８】
以下、本発明の実施の一形態を図面に基づいて説明する。
［１］音響照明制御システム１の全体構成
図１には、本発明の実施形態に係る音響照明制御システム１が示されている。音響照明制御システム１は、ＤＪパフォーマンスにおける音響機器制御操作と、音響機器制御とともに行われる照明機器制御を同時に行うシステムであり、ＤＪコントローラ２、コンピュータ３、スピーカー４、および照明装置５を備える。
【０００９】
ＤＪコントローラ２は、操作者が操作するＤＪ機器の本体部分であり、通信ケーブル６を介してコンピュータ３と接続されている。
ＤＪコントローラ２は、左右のデッキＤ１、Ｄ２を備え、それぞれのデッキＤ１、Ｄ２には、ジョグダイヤル２Ａ、ボリューム調整つまみ２Ｂ、パフォーマンスパッド２Ｃ等が設けられている。また、ＤＪコントローラ２は、左右のデッキＤ１、Ｄ２の間にミキサーＭ１を備え、ミキサーＭ１は、左右のデッキＤ１、Ｄ２から出力される再生信号の音声出力を調整する。
操作者は、左右のデッキＤ１、Ｄ２を操作して、それぞれのデッキで再生される楽曲データの再生操作制御を行い、ＤＪパフォーマンスを行う。
このようなＤＪコントローラ２は、アナログケーブル７を介してスピーカー４と接続され、操作者によるＤＪパフォーマンスに応じた音声がスピーカー４から出力される。
【００１０】
コンピュータ３は、操作者がＤＪコントローラ２を操作して出力される音響機器制御操作信号に基づいて、ＤＪコントローラ２に挿入された光ディスクに記憶された楽曲データや、コンピュータ３内に記憶されている楽曲データに、ＤＪコントローラ２に入力された再生制御操作に応じた音響効果を施し、ＤＪコントローラ２に出力し、アナログケーブル７を介して、スピーカー４から操作者の操作に応じた音声を出力する。
また、コンピュータ３には、通信ケーブル８を介して、照明装置５が接続されている。
【００１１】
照明装置５は、ライブスペース内やイベントスペース内の照明を行うものであり、ライブ設備として多用される各種の照明機器５Ａを備えている。
照明機器５Ａは、舞台照明に多用される、例えばパーライト、ストロボライト、ムービングヘッドなどである。これらの照明機器５Ａにおいては、それぞれ投光の断続、明るさのほか、機器によって照射方向、動作速度などのパラメータを指定することができる。
【００１２】
これらのパラメータを制御するために、照明装置５の照明機器５Ａは、それぞれたとえば、ＤＭＸ５１２規格に準拠するとともに、同規格に基づいて互いに接続され、同規格に準拠した照明制御信号を送信することで、各照明機器５Ａに所期の照明を実行させることができる。
なお、ＤＭＸ５１２規格は舞台照明分野で一般的な規格であるが、コンピュータ３および照明装置５の接続は、同規格によるものに限らず、他の規格に基づくものであってもよい。
【００１３】
［２］音響照明制御システム１の機能ブロック構成
図２には、照明制御装置としても機能する音響照明制御システム１の機能ブロック図が示されている。コンピュータ３は、楽曲情報処理部３Ａおよび照明情報処理部３Ｂを備える。
楽曲情報処理部３Ａは、楽曲情報の処理を行う部分であり、楽曲情報蓄積部１０、楽曲再生処理部１１、および楽曲構造解析部１２を備える。
【００１４】
楽曲情報蓄積部１０は、演奏対象となる楽曲情報を蓄積するハードディスク等の記憶装置から構成される。演奏対象の決定は、操作者がＤＪコントローラ２を操作することにより、デッキＤ１で演奏する楽曲や、デッキＤ２で演奏する楽曲を選択し、楽曲再生処理部１１に出力する。
楽曲再生処理部１１は、デッキＤ１、Ｄ２で選択された楽曲を再生する。操作者がＤＪコントローラ２のジョグダイヤル２Ａ、ボリューム調整つまみ２Ｂ、およびパフォーマンスパッド２Ｃ等を操作することにより生成される再生制御信号は、この楽曲再生処理部１１に入力され、操作者が行うＤＪパフォーマンスに応じた楽曲再生処理がなされる。
【００１５】
楽曲構造解析部１２は、再生対象となる楽曲構造の解析を行い、楽曲解析情報を生成する。
具体的には、楽曲構造解析部１２は、ＦＦＴ（Fast Fourier Transform）解析等を利用して、楽曲を構成するイントロ（intro）、Ａメロ（Verse）、サビ（Hook）、アウトロ（Outro）等の楽曲構造特徴区間の構造解析を行ったり、ＬＰＦ（Low Pass Filter）を利用して、所定の周波数以下の音を検出して、拍位置、ＢＰＭ等の解析を行ったりする。
【００１６】
照明情報処理部３Ｂは、照明情報の処理を行う部分であり、照明機器情報蓄積部１３、照明機器選択部１４、発光タイミング調整部１５、および照明制御部１６を備える。
照明機器情報蓄積部１３は、照明装置５に使用される照明機器５Ａにおいて、照明制御に用いる照明調光用のインターフェース、照明機器５Ａの種類、灯体の光源の種類に応じた発光応答時間（レイテンシ）を蓄積する。具体的には、照明機器情報蓄積部１３は、図３に示すように、コンピュータ３および照明装置５を接続する照明調光用のインターフェース規格の種別、照明機器の種類、灯体の光源の種類に応じて、レイテンシを蓄積したテーブルとして構成される。
【００１７】
照明調光用のインターフェース規格の種別としては、たとえば、有線では、ＵＳＢ、ＤＭＸ５１２、ＤＡＬＩ等が挙げられ、無線では、Zig Bee等が挙げられる。照明機器５Ａの種類としては、たとえば、ムービングヘッド、パーライト、ストロボ等が挙げられる。灯体の光源の種類としては、たとえば、ハロゲンランプ、ＬＥＤ、レーザー等が挙げられる。
【００１８】
照明機器選択部１４は、コンピュータ３のディスプレイ上に、ポップアップ画面を表示して、操作者に制御対象となる照明機器５Ａの選択を促す。
具体的には、照明機器選択部１４は、図４に示すように、実行中の楽曲再生処理ソフトの画像Ｇ１上にポップアップ画像Ｇ２を表示し、操作者に昭明調光用のインターフェース規格のプロファイルの選択を促す。
【００１９】
操作者がプロファイルの選択を行ったら、照明機器選択部１４は、図示を略したが、照明機器５Ａの選択を促すポップアップ画像を表示し、操作者にムービングヘッド、パーライト、ストロボ等の照明機器５Ａの選択を促す。
操作者が照明機器５Ａを選択したら、照明機器選択部１４は、ポップアップ画像をさらに表示し、選択された照明機器５Ａに使用される灯体の光源の選択を促す。これによって、選択された照明機器５Ａのレイテンシが取得され、照明機器選択部１４は、取得した照明機器５Ａのレイテンシを発光タイミング調整部１５に出力する。
【００２０】
発光タイミング調整部１５は、照明機器選択部１４で選択された照明機器５Ａの発光応答時間に基づいて、楽曲構造解析部１２により解析された再生処理を行う楽曲の拍位置情報を含む楽曲解析情報を取得し、取得した拍位置情報に、照明機器の発光タイミングを同期させる。具体的には、発光タイミング調整部１５は、照明機器選択部１４から出力された各照明機器５Ａのレイテンシに基づいて、発光応答の遅延時間を演算し、楽曲の拍位置情報よりも、時間的に先行して、発光タイミングを設定する。
【００２１】
照明制御部１６は、楽曲再生処理部１１の再生位置を取得するとともに、楽曲構造解析部１２で解析された楽曲構造特徴区間に応じて、照明制御信号を生成し、照明装置５に出力する。この際、照明制御部１６は、発光タイミング調整部１５で設定された発光タイミングを加味して、照明装置５を構成する照明機器５Ａの発光タイミングを調整した照明制御信号を生成する。
【００２２】
［３］実施形態の作用および効果
このような本実施形態によれば、音響照明制御システム１が、照明機器情報蓄積部１３、照明機器選択部１４、および発光タイミング調整部１５を備えていることにより、予め照明調光用のインターファース規格となるプロファイルを選択し、照明機器５Ａの種類、および灯体の光源の種類に応じたレイテンシを取得できるため、楽曲再生中に楽曲再生と、照明機器５Ａの発光タイミングとを同期させることができる。
また、照明機器５Ａのレイテンシが予め照明機器情報蓄積部１３に蓄積されているため、照明装置５の照明調光用のプロファイルの選択、照明機器５Ａの選択、および灯体の光源の選択という簡単な操作で楽曲再生と照明機器５Ａの発光タイミングとを同期させることができる。
【００２３】
［４］実施形態の変形
なお、本発明は前述の実施形態に限定されるものではなく、本発明の目的を達成できる範囲での変形、改良等は本発明に含まれるものである。
前記実施形態では、照明機器選択部１４は、照明調光用のインターフェース規格のプロファイルの選択、照明機器５Ａの種類の選択、照明機器５Ａを構成する灯体の光源の種類の選択をすべて行っていたが、本発明はこれに限られない。すなわち、前述の選択肢のうち発光タイミングのズレの影響が大きいもののみを選択するようにしてもよい。
その他、本発明の実施の際の具体的な構造および形状等は、本発明の目的を達成できる範囲で他の構造等としてもよい。
【符号の説明】
【００２４】
１…音響照明制御システム、２…ＤＪコントローラ、２Ａ…ジョグダイヤル、２Ｂ…ボリューム調整つまみ、２Ｃ…パフォーマンスパッド、３…コンピュータ、３Ａ…楽曲情報処理部、３Ｂ…照明情報処理部、４…スピーカー、５…照明装置、５Ａ…照明機器、６…通信ケーブル、７…アナログケーブル、８…通信ケーブル、１０…楽曲情報蓄積部、１１…楽曲再生処理部、１２…楽曲構造解析部、１３…照明機器情報蓄積部、１４…照明機器選択部、１５…発光タイミング調整部、１６…照明制御部、Ｄ１…デッキ、Ｄ２…デッキ、Ｇ１…画像、Ｇ２…ポップアップ画像、Ｍ１…ミキサー。
【図１】
0006691607.tif 000002
【図２】
0006691607.tif 000003
【図３】
0006691607.tif 000004
【図４】
0006691607.tif 000005